(57)【要約】【課題】  履きやすさ、ホールド性及びサイズ適合性に優れたスリッパの提供。【解決手段】  通常のスリッパとしても利用することができ、ホールド性を高めたいときには固定用伸縮バンドで踵を固定することが可能であり、サイズの汎用性を高め通気性を良好とする調整孔を有する下記の特徴を有するスリッパである。（１）甲被部材を踵近傍まで延ばし、踵近傍の開口部縁を横断する固定用伸縮バンドを有するスリッパであって、当該固定用伸縮バンドが非装着時には中敷と着接状態にあることを特徴とするスリッパ。（２）前記固定用伸縮バンドと中敷により構成される調整孔を踵部に有することを特徴とする（１）のスリッパ。【選択図】        図１
2006109852.tif 000002
【特許請求の範囲】
【請求項１】
甲被部材を踵近傍まで延ばし、踵近傍の開口部縁を横断する固定用伸縮バンドを有するスリッパであって、該固定用伸縮バンドが非装着時には中敷と着接状態にあることを特徴とするスリッパ。
【請求項２】
前記固定用伸縮バンドと中敷により構成される調整孔を踵部に有することを特徴とする請求項１のスリッパ。
【請求項３】
前記甲被部材は伸縮性の布材であることを特徴とする請求項１又は２のスリッパ。
【請求項４】
甲被部材の裏生地と中敷部材の表生地には抗菌力を有する布を用いることを特徴とする請求項１、２又は３のスリッパ。
【請求項５】
底部材が滑り止めの凹凸模様の屈曲性を有する材料を用いていることを特徴とする請求項１ないし４のいずれかのスリッパ。
【請求項６】
底部材がアルコール除菌が可能な材料であることを特徴とする請求項１ないし５のいずれかのスリッパ。
【請求項７】
それに入れて菌の増殖を抑制するための抗菌性の布材のきんちゃくを付属させていることを特徴とする請求項１ないし６のいずれかのスリッパ。
【発明の詳細な説明】
【技術分野】
【０００１】
本発明は、履きやすさ、ホールド性及びサイズ適合性に優れたスリッパに関し、より具体的には通常のスリッパとしても利用することができ、ホールド性を高めたい際は踵を固定することが可能であり、かつ利用者の足のサイズ適合性に優れたスリッパに関する。
【背景技術】
【０００２】
従来のスリッパは、足を乗せて足裏に直接当接する中敷部材と、足先及び甲部を包み込む形状に形成された甲被部材と、前記スリッパ の下側に位置して、床面と直接当接する底部材と、これら中敷部材、甲被部材及び底部材を位置決めして結合させる支持部材等によって構成されている。
【０００３】
このような従来のスリッパは、その構造上、激しい動きをした際には脱げてしまうものである。そこで、甲の後部を踵まで延ばし、のばした部分の上部から踵を包むように伸縮性や形状復帰性のある、ジャージやゴム生地その他の生地で作った踵を有するスリッパが提言されている（特許文献１）。
【特許文献１】特開２０００−７０００６号公報
【発明の開示】
【発明が解決しようとする課題】
【０００４】
しかしながら、上記特許文献１に記載のスリッパは、甲被部材と中敷部材により構成される開口部が狭く、履きやすさの点で難があった。
一方、開口部を広くすると、サイズの適合範囲が狭くなるという問題がある。すなわち、大きなサイズのスリッパを履いた場合に、開口部が広いため、踵部の固定だけではホールド性が充分でなく、脱げやすくなってしまう。開口部が広いという利便性をもたせながら、必要によりすっぽり包んで使用することができる履き物が求められる。また、スリッパは洗濯を繰り返して清潔に使用したいという要望や、持ち運びが可能であることの要望などがある。
【０００５】
上記課題を解決するために、本発明は、履きやすさ、ホールド性及びサイズ適合性に優れたスリッパを提供することを目的とする。さらに、洗濯耐性、除菌の可能性等を有し、持ち運び可能なスリッパを提供することを目的とする。
【課題を解決するための手段】
【０００６】
本発明は、通常のスリッパとしても利用することができ、ホールド性を高めたいときには固定用伸縮バンドで踵を固定することが可能であり、サイズの汎用性を高め通気性を良好とする調整孔を有するスリッパである。
【０００７】
すなわち、第１の発明は、甲被部材を踵近傍まで延ばし、踵近傍の開口部縁を横断する固定用伸縮バンドを有するスリッパであって、当該固定用伸縮バンドが非装着時には中敷と着接状態にあることを特徴とするスリッパである。
【０００８】
第２の発明は、第１の発明において、前記固定用伸縮バンドと中敷により構成される調整孔を踵部に有することを特徴とする。
【０００９】
第３の発明は、第１又は第２の発明において、前記甲被部材は伸縮性の布材であることを特徴とする。
【００１０】
第４の発明は、第１、第２又は第３の発明において、甲被部材の裏生地と中敷部材の表生地には抗菌力を有する布を用いることを特徴とする。
【００１１】
第５の発明は、第１ないし第４のいずれかの発明において、底部材が滑り止めの凹凸模様の屈曲性を有する材料を用いていることを特徴とする。
【００１２】
第６の発明は、第１ないし第５のいずれかの発明において、底部材がアルコール除菌が可能な材料であることを特徴とする。
【００１３】
第７の発明は、第１ないし第６のいずれかの発明において、それに入れて菌の増殖を抑制するための抗菌性の布材のきんちゃくを付属させていることを特徴とする。
【発明の効果】
【００１４】
本発明は、広い開口部を有するため着脱が容易であることに加え、踵部側面を横断する固定用伸縮バンドを有するため高いホールド性を得ることが可能となる。
【００１５】
また、固定用伸縮バンドと中敷による調整孔を踵部に有するため、サイズ適合性が高く、しかも通気性に優れる。
【００１６】
さらに、洗濯耐性、除菌の可能性等を有し、持ち運び可能であり、付属させているきんやくに入れて持ち運び可能であり、かつ、菌の増殖を抑制することができる。
【発明を実施するための最良の形態】
【００１７】
本発明のスリッパは、足を乗せて足裏に直接当接する中敷部材１と、足先及び甲部を包み込む形状に形成された甲被部材２と、前記スリッパ の下側に位置して、床面と直接当接する底部材３と、これら中敷部材１、甲被部材及び底部材を位置決めして結合させる支持部材４（図示せず）と、踵部側面を横断する固定用伸縮バンド５、固定バンドと中敷により踵部に構成された調整孔６からなる。図１は本発明のスリッパの正面図であり、図２は底面図である。図３下図に示すように、固定用伸縮バンド５は通常は中敷部材１と着接して位置され、通常のスリッパとして使用する際にも踏みつぶして平らにする必要はない。
【００１８】
甲被部材２は、伸縮性のある布であれば良いが、携帯性を考えると袋に入れて持ち運ぶ際に厚みがでない方がよく、好ましい材としてはメッシュ素材が例示される。好ましくは、甲被部材の裏生地と中敷部材の表生地には抗菌力を有する布を用いる。それに入れて菌の増殖を抑制するための抗菌性の布材のきんちゃく（図示せず）を付属させ、該きんちゃくに入れて持ち運ぶことができる。
底部材３は、軽量で滑り止め加工のなされた合成皮革や合成樹脂を主とした可撓性の材で製作されるが、これらに制限されない。屈曲性のある底材を使用しているため、脱げにくく、歩行運動も楽である。支持部材４は、型崩れが生じない程度の強度が必要であるが、履き心地を考えると衝撃吸収機能を有する芯材を採用し、抗菌力を有する布の中敷部材を被せ、裏には底部材を貼着するのが好ましい。また、室内での利用に適しており、アルコールによる除菌が可能な材が好ましく、例えば塩化ビニル樹脂があげられる。固定用伸縮バンド５は、伸縮性形状復帰性のある材であればよいが、履いていないとき（縮み時）は平らとなり中敷部材１に着設してふくらみを作らない状態であることが望ましく、好ましい材としてはゴムバンドが例示される。
【００１９】
図４は、通常のスリッパとして使用した際の側面図である。スリッパとして使用する際には、固定用伸縮バンド５は踏みつぶされた状態で使用される。
図５は、固定用伸縮バンド５を起こして使用した際の側面図である。固定伸縮バンド５により、利用者の踵が固定されるため、高いホールド性を得ることができる。また、利用者の足のサイズと比べスリッパのサイズが大きい場合にも、固定用伸縮バンド５が縮むことにより高いホールド性を得ることができ、更に調整孔６を有するため、固定用伸縮バンド５の上端縁から下端部が可動となり、固定用伸縮バンド５の面全体で支えることにより従来技術と比べてもより高いホールド性を得ることができる。
【００２０】
本発明の詳細を実施例により説明する。但し、本発明はこの実施例に制限されるものではない。
【実施例１】
【００２１】
本実施例に係るスリッパの甲被部材は、ポリエステル100%のメッシュ素材であり、裏生地と中敷には98%とポリエステルに純銀の糸を織り込んだミューファン（登録商標）2%から構成され、抗菌性を有する。ミューファン（登録商標）の構造は、透明ポリエステルフィルムと純銀被膜を真空蒸着し、それに透明ポリエステルフィルムを接着したものであり、銀イオンにより抗菌性を得ることを可能としている。この抗菌性の効果は洗濯を繰り返しても持続する。底材は滑り止めを加工（滑り止めの凹凸模様）の施された屈曲性を有する材料を用いている塩化ビニル製であり、アルコールによる除菌が可能である。
図６に実施例１に係るスリッパの通常時の斜視写真を示す。通常時においては、固定用伸縮バンドは、中敷部材に着設してふくらみを作らない状態である。図７は、固定用伸縮バンドを起こした状態の斜視写真である。図８に示すように、ルームシューズとして使用する際は、踵を固定用伸縮バンドで固定して使用する。
【産業上の利用可能性】
【００２２】
本発明は、急いでいるときはスリッパとして履きやすく、激しく動くときにはルームシューズとして使用できるものであり、介護ヘルパーによる利用に適している。すなわち、急いでいる時はスリッパとして履きやすく、しっかりと介護するときはルームシューズとしてすっぽり包んで使用することができる、業務用ヘルパーシューズとして最適なスリッパである。
また、甲被部材が伸縮性に優れた素材からなり、しかも非装着時には固定用伸縮バンドが中敷に着接状態となり携帯性に優れることから、抗菌性のきんちゃくに入れて旅行用として利用することが想定される。
【図面の簡単な説明】
【００２３】
【図１】本発明のスリッパの平面図である。
【図２】本発明のスリッパの底面図である。
【図３】本発明のスリッパの正面図及び背面図である。
【図４】通常のスリッパとして使用した際の側面図である。
【図５】固定用伸縮バンド５を起こした状態の側面図である。
【図６】実施例１に係るスリッパの通常時の斜視写真である。
【図７】実施例１に係るスリッパの固定用伸縮バンドを起こした状態の斜視写真である。
【図８】実施例１に係るスリッパの装着時の写真である。
【符号の説明】
【００２４】
１  中敷部材
２  甲被部材  
３  底部材
４  支持部材（図示せず）
５  固定用伸縮バンド
６  調整孔
【図１】
2006109852.tif 000003
【図２】
2006109852.tif 000004
【図３】
2006109852.tif 000005
【図４】
2006109852.tif 000006
【図５】
2006109852.tif 000007
【図６】
2006109852.tif 000008
【図７】
2006109852.tif 000009
【図８】
2006109852.tif 000010